(57)【要約】【課題】  安価かつ簡単な作業により、水浄化処理施設で浄化しなければならない水量を減らすことができる廃棄物処理予定区域の排水方法を提供する。【解決手段】  廃棄物処分場１０１を区分けした廃棄物処理予定区域（埋立ピット）に排水路（表面水用排水管５）を形成し、廃棄物処理予定区域に埋め立てや、投入・搬送をした廃棄物１０の上に廃棄物を覆う覆体（覆土１１，遮水シート１２）を設け、この覆体の表面と排水路とを縦排水路（表面水用縦排水管５０，５１）で繋ぎ、覆体の表面に流れる水を縦排水路を介して排水路に導くようにした。【選択図】        図１１
2005087782.tif 000002
【特許請求の範囲】
【請求項１】
廃棄物処分場を区分けした廃棄物処理予定区域に排水路を形成し、廃棄物処理予定区域に埋め立てや、投入・搬送をした廃棄物の上に廃棄物を覆う覆体を設け、この覆体の表面と排水路とを縦排水路で繋ぎ、覆体の表面に流れる水を縦排水路を介して排水路に導くようにしたことを特徴とする廃棄物処理予定区域の排水方法。
【請求項２】
廃棄物処分場を区分けした廃棄物処理予定区域に排水路を形成し、廃棄物の埋め立てや投入・搬送が終了した廃棄物処理予定区域から、廃棄物の投入、埋め立てを開始する他の廃棄物処理予定区域に廃棄物の投入や、埋め立てを移行する際に、廃棄物の埋め立てや投入・搬送が終了した廃棄物処理予定区域の廃棄物の上に廃棄物を覆う覆体を設け、この覆体の表面と排水路とを縦排水路で繋ぎ、覆体の表面に流れる水を縦排水路を介して排水路に導くようにしたことを特徴とする廃棄物処理予定区域の排水方法。
【請求項３】
他の廃棄物処理予定区域が廃棄物処理予定区域に隣接することを特徴とする請求項２に記載の廃棄物処理予定区域の排水方法。
【請求項４】
廃棄物の埋め立てや投入・搬送を行う他の廃棄物処理予定区域全体に屋根を設け、この屋根に降雨した雨水を廃棄物処理予定区域の覆体に流れるようにしたことを特徴とする請求項２又は請求項３に記載の廃棄物処理予定区域の排水方法。
【請求項５】
覆体の上においてさらに廃棄物の埋め立てや、搬入・搬送を行い、この廃棄物の上に廃棄物を覆う覆体を設け、上記縦排水路に延長する縦排水路を繋いで覆体の表面と上記排水路とを縦排水路で繋ぎ、覆体の表面に流れる水を縦排水路を介して排水路に導くようにしたことを特徴とする請求項１ないし請求項４のいずれかに記載の廃棄物処理予定区域の排水方法。
【請求項６】
廃棄物処理予定区域の下に廃棄物からの浸出水を排出するための浸出水用排水路を形成し、廃棄物中を貫通して覆体の上方に突出するとともに周囲に複数の孔が形成された浸出水排水用及びガス抜き用の縦排水路を浸出水用排水路に接続したことを特徴とする請求項１ないし請求項５のいずれかに記載の廃棄物処理予定区域の排水方法。
【請求項７】
覆体は覆土により形成されたことを特徴とする請求項１ないし請求項６のいずれかに記載の廃棄物処理予定区域の排水方法。
【請求項８】
覆体は遮水シートにより形成されたことを特徴とする請求項１ないし請求項６のいずれかに記載の廃棄物処理予定区域の排水方法。
【請求項９】
覆体は覆土とこの覆土の上又は下又は中に敷設された遮水シートとにより形成されたことを特徴とする請求項１ないし請求項６のいずれかに記載の廃棄物処理予定区域の排水方法。
【発明の詳細な説明】
【技術分野】
【０００１】
本発明は、廃棄物から浸出する浄化処理の必要な浸出水量を少なくでき、水処理量を低減できる廃棄物処分場等の排水方法に関する。
【背景技術】
【０００２】
従来、断面凹状に形成された廃棄物処理予定区域に対して屋根を設け、この屋根に中空孔を有する支柱を設け、この屋根を伝う雨水を中空孔を介して排水した廃棄物処分場が知られている（例えば、特許文献１参照）。これによれば、雨水が廃棄物中を通過しないので、廃棄物から浸出する浄化処理の必要な浸出水量を少なくでき、水処理量を少なくできる。
【特許文献１】特開平１０−３０５２６６号公報
【発明の開示】
【発明が解決しようとする課題】
【０００３】
しかしながら、特許文献１では、中空孔を有する支柱を備えた廃棄物処分場全体を覆う屋根を用いなくてはならず、屋根のコストが嵩み、また、屋根の設置作業も大変であるという課題があった。
【課題を解決するための手段】
【０００４】
本発明の請求項１に係る廃棄物処理予定区域の排水方法は、廃棄物処分場を区分けした廃棄物処理予定区域に排水路を形成し、廃棄物処理予定区域に埋め立てや、投入・搬送をした廃棄物の上に廃棄物を覆う覆体を設け、この覆体の表面と排水路とを縦排水路で繋ぎ、覆体の表面に流れる水を縦排水路を介して排水路に導くようにした。請求項２では、廃棄物処分場を区分けした廃棄物処理予定区域に排水路を形成し、廃棄物の埋め立てや投入・搬送が終了した廃棄物処理予定区域から、廃棄物の投入、埋め立てを開始する他の廃棄物処理予定区域に廃棄物の投入や、埋め立てを移行する際に、廃棄物の埋め立てや投入・搬送が終了した廃棄物処理予定区域の廃棄物の上に廃棄物を覆う覆体を設け、この覆体の表面と排水路とを縦排水路で繋ぎ、覆体の表面に流れる水を縦排水路を介して排水路に導くようにした。請求項３では、他の廃棄物処理予定区域が廃棄物処理予定区域に隣接しているものとした。請求項４では、廃棄物の埋め立てや投入・搬送を行う他の廃棄物処理予定区域全体に屋根を設け、この屋根に降雨した雨水を廃棄物処理予定区域の覆体に流れるようにした。請求項５では、覆体の上においてさらに廃棄物の埋め立てや、搬入・搬送を行い、この廃棄物の上に廃棄物を覆う覆体を設け、上記縦排水路に延長する縦排水路を繋いで覆体の表面と上記排水路とを縦排水路で繋ぎ、覆体の表面に流れる水を縦排水路を介して排水路に導くようにした。請求項６では、廃棄物処理予定区域の下に廃棄物からの浸出水を排出するための浸出水用排水路を形成し、廃棄物中を貫通して覆体の上方に突出するとともに周囲に複数の孔が形成された浸出水排水用及びガス抜き用の縦排水路を浸出水用排水路に接続した。請求項７で覆体を覆土により形成し、請求項８では覆体を遮水シートにより形成し、請求項９では覆体を覆土とこの覆土の上又は下又は中に敷設された遮水シートとにより形成した。
【発明の効果】
【０００５】
請求項１，２によれば、安価かつ簡単な作業により、水浄化処理施設で浄化しなければならない水量を減らすことができる。請求項３では、他の廃棄物処理予定区域が廃棄物処理予定区域に隣接しているので、排水処理を効率的に行える。請求項４では、屋根により降雨時の雨水を効率的に縦排水路に送ることができ、水浄化処理施設で浄化する水量をさらに減らすことができる。請求項５では、積層状態に廃棄物処理を行うことができるようになり、廃棄物処理用地の上部空間を有効に活用できるとともに、各廃棄物処理における水処理量を少なくできる。請求項６では、廃棄物から生じたガスを集気する手段として簡単なファン装置等を用いてガスを効率的に集気できるようになる。請求項７では、覆土の遮水効果により、水処理量を少なくできる。請求項８では、遮水シートにより遮水効果が向上し、水処理量をさらに少なくできる。請求項９では、遮水シートの破損を防止でき、破損したとしても覆土により遮水できるので、雨水が廃棄物中を通過してしまうようなことを少なくでき、水処理量を少なくできる。また、区分けしながら覆体を設けることにより、処分場の全体の大きさの割りには浸出水を処理する量を少なくできるため、水浄化処理施設が小さくても良くなり、コスト的に優れている。
【発明を実施するための最良の形態】
【０００６】
実施の形態１
図１は屋根の斜視図、図２は山間における廃棄物処理予定地に造成された廃棄物埋立処理前の廃棄物処分場を示す図、図３〜図１０は廃棄物処分場での廃棄物埋立処理及び屋根移動の様子を示す図、図１１は廃棄物処分場の断面図である。尚、図３〜図１０の（ａ）は平面図、（ｂ）は（ａ）のＡ−Ａ断面図である。
屋根１は、例えば図１に示すように複数の屋根ユニットにより構成され、妻側に配置される屋根ユニット２Ａ，２Ａは、２本の骨格部材２ａ，２ｂ間にシート２ｄが張設されており、また、妻側に位置する骨格部材２ａの屋根頂部に相当する箇所から下方に延長するように骨格部材２ｃが設けられており、この骨格部材２ｃと骨格部材２ａ間にもシート２ｄが張設されている。中央側に配置される屋根ユニット２Ｂ，２Ｂは、２本の骨格部材２ｂ，２ｂ間にシート２ｄが張設されている。シート２ｄは例えばポリエステル織布等のシートを用いる。各屋根ユニット２Ａ，２Ｂ，２Ｂ，２Ａは、隣合う骨格部材２ｂ，２ｂが適当な固定手段（図示せず）で固定されて、これにより、屋根ユニット２Ａ，２Ｂ，２Ｂ，２Ａとシート２ｄとで屋根面と全側面とが閉塞された屋根１が構成される。従って、固定手段による固定を解除することで各屋根ユニット２Ａ，２Ｂ，２Ｂ，２Ａに分離することができる。即ち、屋根１は屋根頂部から下方斜めに延長する一対の骨格部材間にシートが張られて成る屋根ユニットを複数組み合せて構成されており、隣合う骨格部材２ｂ，２ｂを固定することにより屋根１が形成され、固定を解除することで各屋根ユニット２Ａ，２Ｂ，２Ｂ，２Ａに分離することができるので、取り扱いが容易で、かつ、軽量であり、屋根移動、屋根組立作業を容易にできる。尚、各屋根ユニットの骨格部材間には適宜間隔で横支持棒材２ｅが設けられている。この横支持棒材２ｅとして伸縮可能な棒材を用いれば、シート２ｄの張り具合を調整できる。２ｇは出入口である。
屋根１の形状は、骨格部材の形状、配置等を工夫することにより、様々な形状に設定でき、屋根ユニットの大きさや数等により、大きさを自由に設定できる。
骨格部材２ａ，２ｂ，２ｃ及び横支持棒材２ｅは例えば木や、スチール，アルミ合金，マグネシウム合金等の金属をパイプ材やアングル材等に加工した軽量かつ強度の高いものを用いればよい。特にアルミ合金で形成されたものを用いることにより、廃棄物から排出する塩素ガス等で腐食しにくく、耐食性を保て、また、屋根１の軽量化が図れる。
【０００７】
図２に示すように、山間の廃棄物処理予定地１００においては、最初、第１期処分場１０１が造成される。第１期処分場１０１においては区画堰堤３により区分けされた１段目の３つの埋立ピット（廃棄物処理予定区域）４Ａ，４Ｂ，４Ｃが区画されている。３Ａ〜３Ｄは周囲段土堤である。まず、図３に示すように第１埋立ピット４Ａ全体の上を屋根１で覆った後に廃棄物埋立処理を行う。屋根１はクレーン等の揚重機で持ち上げて移動する。この場合、屋根１そのものをそのまま揚重機で持ち上げて移動してもよいし、複数の屋根ユニットを複数回に分けて移動してもよい。例えば、図１の屋根１を中央の部分で分割して、締結された屋根ユニット２Ａと屋根ユニット２Ｂとから成る２組の半体２ＡＢを２回に分けて移動してもよい。また、屋根ユニットを１つずつ移動してもよい。どのように移動するかは、揚重機の揚重容量等を考慮して決めればよい。屋根１を屋根ユニットに分割して移動すれば、小型の揚重機で屋根を移動させることができ、また、移動作業も容易になる。
【０００８】
以下、図４，５に示すように、屋根１を第２埋立ピット４Ｂ、第３埋立ピット４Ｃの全体を覆いながら順次移動して廃棄物埋立処理を行う。
【０００９】
図１１は図４（ｂ）の詳細図であるが、以下、この図１１に基いて詳説する。第１期処分場１０１の下（場内底部）には、排水路としての表面水用排水管５が予め各埋立ピットに埋め込まれている。表面水用排水管５の上方には遮水シート６が敷設され、この遮水シート６の上には廃棄物１０から浸出する浸出水を排出するための浸出水用排水路としての浸出水用排水管７が設けられている。この浸出水用排水管７の上に保護土８が被せられて地固めされている。この保護土８の上に周囲段土堤３Ａ、区画堰堤３が築造される。尚、保護土８を設ける前に、表面水用排水管５に各埋立ピット毎に設けた１つあるいは複数の表面水用縦排水管５０を接続して、表面水用縦排水管５０を各埋立ピットの底面まで（保護土８の表面予定位置とほぼ同位置まで）延長させておくとともに、同様に、浸出水用排水管７に各埋立ピット毎に設けた１つあるいは複数の浸出水用縦排水管７０を接続して、浸出水用縦排水管７０を各埋立ピットの底面まで延長させておく。
【００１０】
次に、第１埋立ピット４Ａに屋根１を設け、第１埋立ピット４Ａにおける廃棄物の埋め立て前あるいは埋め立てに伴って、表面水用縦排水管５０にさらに表面水用縦排水管５１を接続して、表面水用縦排水管５１を第１埋立ピット４Ａの廃棄物埋立処理予定上面とほぼ同位置まで延長させ、また、浸出水用縦排水管７０にガス抜き縦管７１を接続して、ガス抜き縦管７１を第１埋立ピット４Ａの廃棄物埋立処理予定上面より若干高い位置まで延長させる。
【００１１】
そして、第１埋立ピット４Ａ内に所定量の廃棄物１０を投棄してその上に覆土１１をし、この覆土１１の上に遮水シート１２を敷いて、遮水シート１２上に流れる水が表面水用縦排水管５１の上端開口５１ｔに流れ込むようにするとともに、遮水シート１２に形成された図外の孔を貫通させてガス抜き縦管７１の上端開口７１ｔを遮水シート１２より上方に突出させることで、遮水シート１２上に流れる水がガス抜き縦管７１に流れ込まないようにしておく。尚、覆土１１及び遮水シート１２は図１１では平面に図示されているが、遮水シート１２上に流れる水が表面水用縦排水管５１に流れ込むように、覆土１１の表面は表面水用縦排水管５１の上端開口５１ｔに向かって下方に傾斜する傾斜面に形成しておく。実施の形態１では、廃棄物１０を覆うように設けられた覆土１１とこの覆土１１の上に敷設された遮水シート１２とにより覆体を形成している。
その後、揚重機で屋根１を持ち上げて、図４に示すように、隣接する第２埋立ピット４Ｂに移動する。その際に、第２埋立ピット４Ｂ全体を覆うようにして、第２埋立ピット４Ｂに降雨した雨が屋根１によって第１埋立ピット４Ａの覆体に流れ込むように設置する。
【００１２】
以上により、降雨時において、第２埋立ピット４Ｂに設けられた屋根１を伝って埋立処理が終了した第１埋立ピット４Ａ上の遮水シート１２上に流れてくる雨水や遮水シート１２上に降る雨水が表面水用縦排水管５１に流れ込んで表面水用排水管５に導かれ、防災調整池等に送られる。また、ガス抜き縦管７１の周囲には複数のガス抜き孔７２が形成されており、廃棄物１０から排出されるガスはガス抜き縦管７１のガス抜き孔７２を介して浸出水用排水管７に送られ図外の浄化施設で浄化されて外部に排出される。また、廃棄物１０からの浸出水はガス抜き縦管７１のガス抜き孔７２を介して浸出水用排水管７に流れ込んだり、あるいは自然流下で遮水シート６上に流れ、この浸出水は水浄化処理施設で浄化される。上記では表面水用縦排水管５０，５１により縦排水路が形成され、浸出水用縦排水管７０とガス抜き縦管７１とで浸出水排水用及びガス抜き用の縦排水路が形成される。尚、１本を区分けや多重構造にすることにより、管で表面水排水用の縦排水路や、浸出水排水用及びガス抜き用の縦排水路を形成してもよい。
上述のように廃棄物処理予定区域としての廃棄物埋立ピットの下に廃棄物１０から浸出する浸出水を排出するための浸出水用排水路を設け、廃棄物１０中を貫通して覆体の上方に突出するとともに周囲に複数の孔が形成された浸出水排水用及びガス抜き用の縦排水路を浸出水用排水路に接続したので、廃棄物１０から生じたガスを集気する手段として特許文献１のような吸気力の大きい高価な集気手段を設けなくとも簡単なファン装置等を用いてガスを効率的に集気できるようになる。また、周囲段土堤３Ａ〜３Ｄ上には周囲排水溝１３が設けられており、山から流れてくる水がこの周囲排水溝１３を介して防災調整池等に送られる。
【００１３】
実施の形態１では、覆土１１とこの覆土１１の上に敷設された遮水シート１２とにより覆体を形成しているので、遮水効果を高くでき、雨水は廃棄物１０中を通過せずに表面水用縦排水管５１，５０及び表面水用排水管５を介して防災調整池等に送られるので、浄化処理の必要な浸出水量を少なくでき、水処理量を少なくできる。尚、表面水とは廃棄物１０中を通過しない水を言う。
また、表面水用排水管５に表面水用縦排水管５０，５１を接続し、廃棄物埋立処理終了後に廃棄物１０の上に覆土１１を施し、この覆土１１の上に遮水シート１２を敷設して遮水シート１２の表面と表面水用排水管５とを表面水用縦排水管５１，５０で繋ぐだけなので、特許文献１に比べてコストを削減でき作業も容易となる。
また、特許文献１では、屋根シートが空中に浮いた状態で屋根シートの下に補助材がないので、豪雨時等において屋根シートが破損しやすく、屋根シートが破損した場合には、雨水が廃棄物中を通過してしまうという課題があるが、実施の形態１では、覆土１１の上に遮水シート１２を敷設しているので、遮水シート１２が破損しにくく、破損したとしても覆土１１により遮水できるので、雨水が廃棄物中を通過してしまうようなことを少なくでき、水処理量を少なくできる。
【００１４】
次に、第２埋立ピット４Ｂ内において同様に、表面水用縦排水管５１，ガス抜き縦管７１を継ぎ足し、廃棄物１０の埋立後に覆土１１を行い、この覆土１１上に遮水シート１２を敷く（以下、これら処理を一括して「ピット内処理」という）。そして、図５に示すように、隣接した第３埋立ピット４Ｃに屋根１を移動し、第３埋立ピット４Ｃ全体を覆うようにして、第３埋立ピット４Ｃに降雨した雨が屋根１によって第２埋立ピット４Ｂの覆体に流れ込むように設置すれば、第３埋立ピット４Ｃに設けられた屋根１を伝って埋立処理が終了した第２埋立ピット４Ｂ上の遮水シート１２上に流れてくる雨水や遮水シート１２上に降る雨水が表面水用縦排水管５１に流れ込んで表面水用排水管５に導かれ、防災調整池等に貯留される。
【００１５】
第３埋立ピット４Ｃ内の埋立処理と並行して、図５に示すように、処理済みの埋立ピット４Ａ，４Ｂの上に区画堰堤３０及び土堰堤２０を築造して、２段目の第１埋立ピット４０Ａを造成する。そして、１段目の第３埋立ピット４Ｃのピット内処理を行った後、揚重機で屋根１を持ち上げて図６に示すように２段目の第１埋立ピット４０Ａに移動する。その際に、２段目の第１埋立ピット４０Ａ全体を覆うようにして、２段目の第１埋立ピット４０Ａに降雨した雨が屋根１によって１段目の第２埋立ピット４Ｂの覆体及び第３埋立ピット４Ｃの覆体に流れ込むように設置する。尚、２段目の第１埋立ピット４０Ａ内への廃棄物埋立処理と並行してこの２段目の第１埋立ピット４０Ａの横に位置する処理済みの１段目の埋立ピットの上に区画堰堤３１及び土堰堤２１を築造して、２段目の第２埋立ピット４０Ｂ及び２段目の第３埋立ピット４０Ｃを造成する。そして、２段目の第１埋立ピット４０Ａのピット内処理を行った後、図７に示すように、揚重機で屋根１を持ち上げて２段目の第２埋立ピット４０Ｂに移動し、その際に、第２埋立ピット４０Ｂ全体を覆うようにして、第２埋立ピット４０Ｂに降雨した雨が屋根１によって２段目の第１埋立ピット４０Ａの覆体及び１段目の第３埋立ピット４Ｃの覆体に流れ込むように設置する。第２埋立ピット４０Ｂのピット内処理を行った後、図８に示すように屋根１を２段目の第３埋立ピット４０Ｃに移動し、この第３埋立ピット４０Ｃのピット内処理を行う。その際に、第３埋立ピット４０Ｃ全体を覆うようにして、第２埋立ピット４０Ｃに降雨した雨が屋根１によって２段目の第１埋立ピット４０Ａの覆体及び１段目の第３埋立ピット４Ｃの覆体に流れ込むように設置する。このとき、処理済みの２段目の第１埋立ピット４０Ａ及び第２埋立ピット４０Ｂの上に土堰堤２２及び区画堰堤３２を築造しておき、さらに、第３埋立ピット４０Ｃのピット内処理後にこの処理済みの第３埋立ピット４０Ｃの上に区画堰堤３２に延長する区画堰堤３３を築造して区画堰堤３４を形成し、３段目の第１埋立ピット４００Ａを造成する。そして、図９に示すように２段目の第３埋立ピット４０Ｃから３段目の第１埋立ピット４００Ａに屋根１を移動し、３段目の第１埋立ピット４００Ａのピット内処理を行う。その際に、３段目の第１埋立ピット４００Ａ全体を覆うようにして、第１埋立ピット４００Ａに降雨した雨が屋根１によって２段目の第２埋立ピット４０Ｂの覆体及び第３埋立ピット４０Ｃの覆体に流れ込むように設置する。この時、第２期処分場１０２を建築し、３段目の第１埋立ピット４００Ａのピット内処理が終わったら、図１０に示すように１段目の第４埋立ピット４Ｄ（第２期処分場の１段目の第１埋立ピット）に屋根１を移動する。以後、同様に、第２期処分場１０２の各ピット内処理及び屋根移動を行っていく。
【００１６】
以上のように、揚重機で屋根１を持ち上げて、隣接する埋立ピット間に移設していってピット内処理を行うことにより、各ピットの廃棄物埋立処理における水処理量を少なくできる。
また、揚重機で屋根１を持ち上げて、１段目から２段目の埋立ピット、２段目から３段目の埋立ピットに移動していって、積層状態に廃棄物埋立処理を行うことができるので、廃棄物処理用地の上部空間を有効に活用できるとともに、各ピットの廃棄物埋立処理における水処理量を少なくできる。
尚、屋根１の下端側は、骨格部材の下端に設けた固定部（図示せず）を、周囲段土堤や区画堰堤や処理済みのピットの上や土堰堤に埋め込むとともにカウンターウエイト等を取付けて固定することで、屋根１の下端側を固定する。
【００１７】
また、上述したように、１段目から２段目、２段目から３段目の埋立ピットに移行する際にも、ピット内処理をして屋根を移動していくので、屋根１を伝って埋立処理が終了した埋立ピット上の遮水シート１２上に流れてくる雨水や遮水シート１２上に降る雨水が表面水用縦排水管５１に流れ込んで表面水用排水管５に流れ、これにより、水浄化処理施設で浄化する水量を減らすことができる。即ち、屋根１により降雨時の雨水を効率的に表面水用縦排水管５１に送ることができ、水浄化処理施設で浄化する水量をさらに減らすことができる。
【００１８】
実施の形態２
実施の形態１では屋根１を用いた廃棄物処理方法について説明したが、屋根１を用いない場合について図１２に基いて説明する。尚、図１２（ａ）は山間において複数に区画された廃棄物処理予定区域としての埋立ピットを示す平面図、図１２（ｂ）は図１２（ａ）のＡ−Ａ断面図である。尚、図１２において図１１と同一部分については同一符号を付している。即ち、図１２において、８０は斜面、８１，８２は区画堤、８３，８４，８５，８６は区画堤により区画されて隣接するように形成された埋立ピットであり、ここでは各埋立ピット８３，８４，８５，８６に対する廃棄物処理中に廃棄物１０の上を覆体としての覆土１１で覆った例を示している。尚、覆土１１は図１２では平面に図示されているが、覆土１１の表面は表面水用縦排水管５１の上端開口５１ｔに向かって下方に傾斜する傾斜面に形成しておく。このように、埋立ピットの下に表面水用排水管５を形成し、各埋立ピットに対する廃棄物処理中に廃棄物１０の上を覆土１１で覆い、この覆土１１の表面と表面水用排水管５とを表面水用縦排水管５１で繋ぎ、覆土１１の表面に流れる水を表面水用縦排水管５１を介して表面水用排水管５に導くようにしてもよい。この場合、覆土１１だけでも遮水効果があるので、雨水は表面水用縦排水管５１及び表面水用排水管５を介して防災調整池等に送られるので、浄化処理の必要な浸出水量を少なくでき、水処理量を少なくできる。また、覆土１１の上にさらに廃棄物埋立処理を行っていくことで、廃棄物処理用地の上部空間を有効に活用できる。
【００１９】
実施の形態２では、覆体として覆土１１のみを設けたが、覆土１１の下に遮水シートを設ければ、遮水効果をさらに高めることができるので、実施の形態２よりもさらに廃棄物１０中を通過する水を減らすことができ、水浄化処理施設で浄化する水量を減らすことができる。
【００２０】
また、廃棄物処理中あるいは廃棄物処理後の廃棄物１０の上部を表面水用縦排水管５１の上端開口５１ｔに向かって下方に傾斜するような傾斜面となるようにならしてからその上に遮水シート１２のみを敷設するようにしてもよい。
【００２１】
また、覆土１１の表面を平坦に形成し、覆土１１の表面に雨水を表面水用縦排水管５１の上端開口５１ｔに導くための傾斜排水溝を設けてもよい。
【産業上の利用可能性】
【００２２】
上記では、廃棄物処理予定区域としての廃棄物最終処分埋立ピットに廃棄物を埋め立てる廃棄物処理について説明したが、本発明は、廃棄物処理予定区域としての廃棄物仮置き区域に廃棄物を仮置きする廃棄物処理や廃棄物処理予定区域としての廃棄物積替え区域に廃棄物を置く廃棄物の投入・搬入の廃棄物処理の場合にも適用できる。
【図面の簡単な説明】
【００２３】
【図１】本発明の実施の形態１に用いる屋根の斜視図。
【図２】山間における廃棄物処理予定地に造成された廃棄物埋立処理前の廃棄物処分場を示す図。
【図３】廃棄物処分場での廃棄物埋立処理及び屋根移動の様子を示す図であり、（ａ）は平面図、（ｂ）は（ａ）のＡ−Ａ断面図。
【図４】廃棄物処分場での廃棄物埋立処理及び屋根移動の様子を示す図であり、（ａ）は平面図、（ｂ）は（ａ）のＡ−Ａ断面図。
【図５】廃棄物処分場での廃棄物埋立処理及び屋根移動の様子を示す図であり、（ａ）は平面図、（ｂ）は（ａ）のＡ−Ａ断面図。
【図６】廃棄物処分場での廃棄物埋立処理及び屋根移動の様子を示す図であり、（ａ）は平面図、（ｂ）は（ａ）のＡ−Ａ断面図。
【図７】廃棄物処分場での廃棄物埋立処理及び屋根移動の様子を示す図であり、（ａ）は平面図、（ｂ）は（ａ）のＡ−Ａ断面図。
【図８】廃棄物処分場での廃棄物埋立処理及び屋根移動の様子を示す図であり、（ａ）は平面図、（ｂ）は（ａ）のＡ−Ａ断面図。
【図９】廃棄物処分場での廃棄物埋立処理及び屋根移動の様子を示す図であり、（ａ）は平面図、（ｂ）は（ａ）のＡ−Ａ断面図。
【図１０】廃棄物処分場での廃棄物埋立処理及び屋根移動の様子を示す図であり、（ａ）は平面図、（ｂ）は（ａ）のＡ−Ａ断面図。
【図１１】図４（ｂ）の詳細図。
【図１２】本発明の実施の形態２を示す図であり、（ａ）は平面図、（ｂ）は（ａ）のＡ−Ａ断面図。
【符号の説明】
【００２４】
１  屋根、４Ａ〜４Ｄ，４０Ａ〜４０Ｃ，４００Ａ  埋立ピット（廃棄物処理予定区域）、５  表面水用排水管（排水路）、７  浸出水用排水管（浸出水用排水路）、
１０  廃棄物、１１  覆土（覆体）、１２  遮水シート（覆体）、
５０，５１  表面水用縦排水管（縦排水路）、
７１  ガス抜き縦管（浸出水排水用及びガス抜き用の縦排水路）、
７２  ガス抜き孔（複数の孔）。
【図１】
2005087782.tif 000003
【図２】
2005087782.tif 000004
【図３】
2005087782.tif 000005
【図４】
2005087782.tif 000006
【図５】
2005087782.tif 000007
【図６】
2005087782.tif 000008
【図７】
2005087782.tif 000009
【図８】
2005087782.tif 000010
【図９】
2005087782.tif 000011
【図１０】
2005087782.tif 000012
【図１１】
2005087782.tif 000013
【図１２】
2005087782.tif 000014